(57)【要約】  【課題】  携帯電話との光通信において、受光部の場所を効率よく指示する機能を提供する。  【解決手段】  情報端末１は、ヘルプボタン５を備え、携帯電話２使用者が携帯電話側赤外線受光部４の場所がわからなかった場合、情報端末１のヘルプボタン５を押下し、携帯電話２の機種を入力することにより携帯電話２の携帯電話側赤外線受光部４の場所を画面に表示する。  使用者は、情報端末１の画面の通りに携帯電話２を情報端末に向け通信を行う。さらに、情報端末１は、携帯電話２との通信を行い機種が特定できた場合、画面に  携帯電話２の機種名を表示する。【選択図】  図１                                                                           
2005210458.tif 000002
【特許請求の範囲】
【請求項１】
携帯通信端末と通信を行う情報端末であって、携帯通信端末と通信を行う通信部と、文字や画像等の情報を表示する表示部と、前記携帯端末の識別情報に対応付けられており携帯通信端末の通信部の位置と情報端末の通信部の位置を報知する情報を記憶する記憶部と、前記入力部により入力された携帯通信端末の識別情報に基づいて前記記憶部に記憶されている携帯通信端末の通信部の位置と情報端末の通信部の位置を報知する情報を検索して前記表示部に表示させる制御部とを備えた情報端末。
【請求項２】
光通信により携帯通信端末と通信を行う請求項１記載の情報端末。
【請求項３】
赤外線通信により携帯通信端末と通信を行う請求項１記載の情報端末。
【請求項４】
携帯通信端末との距離を測定する測定部を有しており、前記携帯通信端末が通信可能な距離より遠くに位置する場合は、表示部に携帯通信端末と情報端末との距離を近づける旨の情報を表示する請求項１から３のいずれか１項に記載の情報端末。
【請求項５】
携帯通信端末との通信中は、表示部の表示色を、通信していないときとの色とは異なった色とする請求項１から４のいずれかに記載の情報端末。
【請求項６】
携帯通信端末は携帯電話であり、情報端末は決済端末である請求項１から５のいずれか１項に記載の情報端末。
【請求項７】
決済端末は、携帯電話と通信を行う通信部と表示部とを有しており決済処理を行う決済端末本体と、表示部を有し前記決済端末本体に接続されており決済に関する情報を入力する入力装置とからなり、前記携帯電話の通信部の位置と前記決済端末本体の通信部の位置を報知する情報を、前記決済端末本体の表示部および／または前記入力装置の表示部に表示する請求項６記載の情報端末。
【請求項８】
決済端末は、表示部を有しており決済処理を行う決済端末本体と、携帯電話と通信を行う通信部と表示部を有し前記決済端末本体に接続されており決済に関する情報を入力する入力装置とからなり、前記携帯電話の通信部の位置と前記入力装置の通信部の位置を報知する情報を前記決済端末本体の表示部および／または前記入力装置の表示部に表示する請求項６記載の情報端末。
【請求項９】
識別情報は携帯電話の機種名であり、前記機種名を決済端末本体の表示部および／または入力装置の表示部に表示する請求項６から８のいずれかに記載の情報端末。
【請求項１０】
識別情報は携帯電話の機種名であり、入力部により入力された機種名に関する情報を決済端末本体の表示部および／または入力装置の表示部に表示する請求項６から９のいずれかに記載の情報端末。
【請求項１１】
携帯通信端末と通信を行う情報端末と、前記情報端末とネットワークを介して接続されたホスト装置からなる情報システムであって、前記情報端末は携帯通信端末と通信を行う通信部と、文字や画像等の情報を表示する表示部と前記識別情報に対応付けられており携帯通信端末の通信部の位置と情報端末の通信部の位置を報知する情報を記憶する記憶部と、携帯通信端末の識別情報に基づいて前記記憶部に記憶されている携帯通信端末の通信部の位置と情報端末の通信部の位置を報知する情報を検索して前記表示部に表示させる制御部とを備え、前記ホスト装置から携帯通信端末の通信部の位置と情報端末の通信部の位置を報知する情報を取得して前記記憶部に記憶する情報システム。
【発明の詳細な説明】
【技術分野】
【０００１】
本発明は携帯電話などの携帯通信端末と決済端末などの情報端末とによる光通信に関するものである。
【背景技術】
【０００２】
近年、携帯電話による電子決済の実験が盛んに行われている。
【０００３】
現在の携帯電話の決済は携帯電話の赤外線通信機能を用いて実現されている。しかし携帯電話の赤外線受光部の場所は機種によりまちまちでありわかりにくかった。
【０００４】
この為、光通信で相手側の受光部の向きを意識しないでも通信できるようにした発明もある。（例えば、特許文献１参照）
【特許文献１】特開平１０−３６７６９８号公報
【発明の開示】
【発明が解決しようとする課題】
【０００５】
しかし、特許文献１でも携帯電話側の受光部の場所がわからない場合通信が出来ない問題が発生する。
【０００６】
光通信は指向性があるため、正しい向きで携帯電話を向けないと光通信は行えない。
【０００７】
本発明は使用者が受光部の場所がわからない場合にその通信場所および方向を知らせるヘルプ機能を持たせることによりこの課題を解決する。
【課題を解決するための手段】
【０００８】
上記課題を解決するために、本発明の情報端末は、携帯通信端末と通信を行う情報端末であって、携帯通信端末と通信を行う通信部と、携帯通信端末の識別情報を入力する入力部と、文字や画像等の情報を表示する表示部と、前記識別情報に対応付けられており携帯通信端末の通信部の位置と情報端末の通信部の位置を報知する情報を記憶する記憶部と、前記入力部により入力された携帯通信端末の識別情報に基づいて前記記憶部に記憶されている携帯通信端末の通信部の位置と情報端末の通信部の位置を報知する情報を検索して前記表示部に表示させる制御部とを備えたものである。
【０００９】
また、本発明の情報システムは、携帯通信端末と通信を行う情報端末と、前記情報端末とネットワークを介して接続されたホスト装置からなる情報システムであって、前記情報端末は携帯通信端末と通信を行う通信部と、携帯通信端末の識別情報を入力する入力部と、文字や画像等の情報を表示する表示部と前記識別情報に対応付けられており携帯通信端末の通信部の位置と情報端末の通信部の位置を報知する情報を記憶する記憶部と、前記入力部により入力された携帯通信端末の識別情報に基づいて前記記憶部に記憶されている携帯通信端末の通信部の位置と情報端末の通信部の位置を報知する情報を検索して前記表示部に表示させる制御部とを備え、前記ホスト装置から携帯通信端末の通信部の位置と情報端末の通信部の位置を報知する情報を取得して前記記憶部に記憶するものである。
【発明の効果】
【００１０】
以上のように、本発明の情報端末によれば、携帯通信端末の光通信のための受光部の場所を表示する機能を有しているので、携帯通信端末の受光部の場所がわからない使用者でもスムーズに情報端末と通信を行うことが出来る。
【発明を実施するための最良の形態】
【００１１】
以下、本発明を実施するための最良の形態について、図１から図９を用いて説明する。
【００１２】
（実施の形態１）
図１は、決済端末などの情報端末１と携帯通信端末の一例としての携帯電話２との光通信を行うときの図である。
【００１３】
図２は、携帯電話２において光受光部が存在する可能性のある場所を示す図である。
【００１４】
情報端末１は記憶部（図示せず）にあらかじめ携帯電話２の機種ごとの携帯電話２の携帯電話側赤外線受光部４の位置情報と携帯電話２の識別情報と結びつけてを記憶しておくものとする。
【００１５】
なお、携帯電話２の使用者が、携帯電話２の携帯電話側赤外線受光部４の場所がわかっている場合には、すぐにその向きに携帯電話２を置き通信を行うことができる。
【００１６】
しかし、図２に示すように、携帯電話２の携帯電話側赤外線受光部４はメーカおよび機種によりさまざまな場所に搭載されている。
【００１７】
このため、携帯電話２の使用者が携帯電話側赤外線受光部４の場所がわからない場合は受光部を探さなければいけない場合があった。
【００１８】
さらに携帯電話側赤外線受光部４そのものが見つかりにくい形状をしている携帯電話も存在する。このため、光通信をスムーズに開始することが困難な場合がある。
【００１９】
図３は、携帯電話２と情報端末１の通信を開始するときの情報端末１表示部１１の画面を示す図である。
【００２０】
情報端末１は、携帯電話２との通信を開始するとき、図３のようなヘルプ機能に誘導するような画面を表示部１１に表示する。
【００２１】
携帯電話２の使用者が携帯電話側赤外線受光部４の場所を知らない場合には、携帯電話２の使用者がヘルプボタン５を押下するか、情報端末１の使用者がヘルプボタン５を押下する。なお、図３において、情報端末１に携帯電話２の機種情報を直接入力する入力部（図示せず）を設け、この入力部により直接携帯電話２の機種名を入力するようにしてもよい。
【００２２】
図４は、情報端末１の表示部１１におけるヘルプ画面の機種選択画面を示す図である。
【００２３】
情報端末１は、図４（ａ）に示すメッセージが表示された状態でヘルプボタン５が押下されると、図４（ｂ）に示す機種選択画面を表示する。ここで、情報端末１に設けられた数値入力キー（図示せず）により、携帯電話２の機種に対応付けられた数値を入力することで携帯電話２の機種を選択する。すなわち、使用する携帯電話２の識別情報を入力する。また、携帯電話の機種選択は、カーソルを移動させ所望の機種のところで実行キーを押下して選択する方法でも良い。
【００２４】
情報端末１は、制御部（図示せず）により、入力された機種番号に基づいて、記憶部に記憶している機種毎の携帯電話側赤外線受光部４の場所情報を照合し、適合した携帯電話側赤外線受光部４の場所を表示部１１に表示する。図５から図８に表示部１１に表示される画面の例を示す。
【００２５】
図５は、携帯電話２の上に受光部４がある場合の情報端末１の画面を示す図である。
【００２６】
図６は、携帯電話２の左に受光部４がある場合の情報端末１の画面を示す図である。
【００２７】
図７は、携帯電話２の右に受光部４がある場合の情報端末１の画面を示す図である。
【００２８】
図８は、携帯電話２の下に受光部４がある場合の情報端末１の画面を示す図である。
【００２９】
情報端末１は、先に入力された機種番号に従い、図５から図８のうちひとつを選択し表示する。この画面の通りに携帯電話２を配置することにより問題なく通信を開始することができる。
【００３０】
また、携帯電話２の使用者が携帯電話側赤外線受光部４の場所を最初からわかっている場合でも携帯電話２の向きが悪かったり、情報端末１との距離が遠かったりすると、通信エラーが多発する為、通信が遅くなることがあった。この現象を防止するため、携帯電話２と情報端末１の間で通信ができた時、携帯電話２が機種名を情報端末１へ送るようにし、情報端末１は受信した機種名を画面に表示し、さらに携帯側赤外線受光部４の場所を画面に表示していもよい。この結果、機種選択することなく携帯電話２の使用者に携帯電話側赤外線受光部４の場所を伝えることができる。
【００３１】
図９は、携帯電話が情報端末から遠い場合の情報端末の画面を示す図である。
【００３２】
携帯電話２と、情報端末１の距離が遠い場合、通信しにくいことがある。これを防止するため、情報端末１に携帯電話２との距離を測定する測定部（図示せず）を設け、情報端末１と携帯電話２との距離が遠くて通信ができない場合に、図９に示すように、携帯電話側赤外線受光部４と情報端末１との距離を近づけるよう指示を画面に表示することで解決する。
【００３３】
以上説明したように、ヘルプ機能を使用するなどして携帯電話２の識別情報を入力することで携帯電話２の使用者に携帯電話側赤外線受光部４の場所を伝えることができ、通信の信頼性を向上させることができる。
【００３４】
なお、情報端末１の一例として、クレジット処理などに使用される決済端末が挙げられる。そして、この決済端末は、決済処理を行う決済端末本体と、決済端末本体に接続され暗証番号などの入力を行う情報入力装置とからなるものが知られている。この決済端末本体および／または入力装置にＬＣＤなどの表示部を設け、この表示部に決済端末の通信部の位置と携帯電話２の携帯電話側赤外線受光部４の位置とを表示させることで、決済を行う携帯電話２の使用者に携帯電話側赤外線受光部４の場所を伝えることができる。
【００３５】
なお、携帯電話２との通信を行う決済端末側の通信部は、決済端末本体のみ、あるいは入力装置のみ、あるいはその両方に設けても良い。
【００３６】
また、一般的に、入力装置は暗証番号の入力などに使用されることから、決済を行う携帯電話２の所持者が操作を行うので、入力装置の表示部に決済端末の通信部の位置と携帯電話２の携帯電話側赤外線受光部４の位置とを表示させることが望ましい。ただし、店の店員などが操作する決済端末本体にも決済端末の通信部の位置と携帯電話２の携帯電話側赤外線受光部４の位置とを表示させることで、店員が携帯電話２の所持者に通信に関する助言や携帯電話２の所持者の動作の確認などを行うことが可能となる。
【００３７】
また、決済端末は通信ネットワークを介して決済の管理などを行うホスト装置に接続されいる。そこで、携帯電話２の新しい機種の追加などがあった場合、それに対応した決済端末の通信部の位置と携帯電話２の携帯電話側赤外線受光部４の位置とをホスト装置に登録しておき、この登録した内容を決済端末が取得して決済端末に記憶するようにする。これにより、決済端末の通信部の位置と携帯電話２の携帯電話側赤外線受光部４の位置に関する情報の追加は変更などを容易に行うことができる。
【産業上の利用可能性】
【００３８】
本発明の情報端末と携帯通信端末との通信位置を報知する機能は、携帯電話の受光部の場所を知らない人が通信を行う時でもヘルプ機能を使用することでスムーズに通信を行うことができ、店のレジや、キオスク端末等の通信時に混雑を回避することができ産業上有用である。
【図面の簡単な説明】
【００３９】
【図１】本発明の一実施の形態に係る、携帯電話を使用した情報機器との光通信を行うときの構成を示した図
【図２】本発明の一実施の形態において、携帯電話での光受光部存在する可能性のある場所を示した図
【図３】本発明の一実施の形態において携帯電話と情報端末の通信を開始するときの情報端末の画面を示した図
【図４】本発明の一実施の形態に係る、ヘルプ画面を示した図
【図５】本発明の一実施の形態において携帯電話の上に受光部がある場合の情報端末の画面を示す図
【図６】本発明の一実施の形態において携帯電話の左に受光部がある場合の情報端末の画面を示す図
【図７】本発明の一実施の形態において、携帯電話の右に受光部がある場合の情報端末の画面を示す図
【図８】本発明の一実施の形態において携帯電話の下に受光部がある場合の情報端末の画面を示す図
【図９】本発明の一実施の形態において携帯電話が情報端末から遠い場合の情報端末の画面を示す図
【符号の説明】
【００４０】
１  情報端末
２  携帯電話
３  情報端末側赤外線受光部
４  携帯電話側赤外線受光部
５  ヘルプボタン
１１  表示部
【図１】
2005210458.tif 000003
【図２】
2005210458.tif 000004
【図３】
2005210458.tif 000005
【図４】
2005210458.tif 000006
【図５】
2005210458.tif 000007
【図６】
2005210458.tif 000008
【図７】
2005210458.tif 000009
【図８】
2005210458.tif 000010
【図９】
2005210458.tif 000011